(57)【要約】【目的】ホテルの客室・病室・車両その他、密閉空間に、消臭・消毒の目的で、薬液を噴霧するに際し、噴霧薬液を、極めて  微粒子の霧状にして散布するために、発明された噴霧装置【構成】消臭剤・消毒剤等を、必要とする密閉空間に、散布するに際し、その空間に、強弱・過多少の無いように、均一に散布するために、薬液槽に予め超音波振動をあたえ、薬液層の表面より、薬液室の空間に振動による薬液の霧化飛散を起こさせる。  薬液室の空間部（図２参照）に霧化した薬液の雰囲気を、コンプレッサ−による圧縮空気の気流によるサクション効果により、吸い上げ、ジェットノズルにより噴霧させる。噴霧された薬液は、３ミクロン以下の微粒子となり、目的の空間内に均一に散布される。  噴霧散布された薬液は、超微粒子であるため、密閉空間に、滞留する時間が永く、空間に浮遊する除外物質（悪臭・細菌等）を分解・転換の化学的作用を与える。【選択図】図２
2005329384.tif 000002
【特許請求の範囲】
【請求項１】
超音波振動により、液体を霧状にし、その霧状の雰囲気を、高圧空気の噴出によるサクション効果を利用して、噴射ノズルに吸い上げ、ノズル先端より噴霧させる薬液噴霧装置。
【請求項２】
請求項  １に記載する超音波振動により霧化装置は、原液槽と、此れに連結する超音波振動槽よりなり、超音波振動槽の底面に振動子を設置し、外部に置かれた超音波発信機より受信した音波を発振させる。
【請求項３】
請求項  １，２，に記載する超音波は、発信機から送られる２５ＫＨｚ．の波長を受けるフェライト系振動子を用いる。
【請求項４】
請求項  １，２，３，に記載する超音波発振槽は、霧化をより効果的にする目的で、レベルセンサ−を用いて、薬液原液槽と連結し、薬液の消費減量に応じ常に一定の液深を保持するように調整される。薬液の液深は、２０〜３０ｍｍの範囲で、制御し、振動が液表面で、充分に伝播するように調整される。
【請求項５】
請求項  ４，に記載する超音波振動槽の薬液上の空間に、生成された霧状の雰囲気は、槽の上部に取り付けられた、吸出管より、圧縮空気によるサクション作用によりノズル先端まで、吸い上げられ、直ちに圧縮空気とともに、目的の密閉空間に、噴出散布されるように、構成された薬液噴霧装置。
【請求項６】
請求項  ５，に記載する超音波振動により生成された霧状雰囲気は、吸出管と、その内側に圧縮空気の通る管の、二重構造のノズルに接続される。
ノズル  のサクション作用で、吸い上げられた薬液雰囲気は、圧縮空気と混合される際に、更に微細な薬液粒子となり、密閉空間に噴出される様に構成された薬液噴霧装置。
【請求項７】
請求項  ４，５に記載する圧縮空気の吐出するノズルは、ノズルの先端より５０ｍｍの間を、扁平孔にして、１８０度の捻りを加えて、吐出する圧縮空気の流れに、回転を与え、サクションで、吸い上げられる霧化薬液雰囲気を回転させ、同雰囲気中の大きな水滴を遠心力により、管の内壁にぶつけ、捕捉し、微粒霧のみを、目的の空間に噴霧させる。
【請求項８】
薬液散布の噴出量は、圧縮空気の、圧力調整と噴出量のバルブ操作及び時間で、制御できる薬液噴霧装置。
【発明の詳細な説明】
【発明の詳細な説明】
【産業上の利用分野】
【０００１】  本発明は、脱臭剤・殺菌剤・香料等を含有した水溶液を霧化させて、微粒子として、空気に混合分散させた雰囲気を、更に、圧縮空気によるジェットノズルを用いて、薬液微粒子を微細化して、密閉空間、例えば、ホテルの客室、病院のベッドル−ム或いは、車両等に噴霧し、空気の清浄化をすることを目的とした、薬液噴霧装置に関する。
【背景技術】
【０００２】  従来より、脱臭・殺菌等を行なう為の、薬液とＬＰＧガス  を封入し、ノズルの開閉で、薬液を散布するものが、多く利用されているが、此等の製品は、その効果は小規模で、局所的になり、また、一時的なものであった。【０００３】  ホテルの客室等は、前客の使用した香料その他、諸々の残臭があり、新たに入室する宿泊客に良い環境を提供するために、当事者は非常に苦心している。
また、病院のベッドル−ムや、老人ホ−ムの個室等も同様状況にある。
食品輸送車両や、乗合バス等も同様でる。【０００４】  更に、従来の噴霧器では、散布されす薬液の粒子が、大きく一粒々々の重量が大きいために、空中の滞留時間が短く、瞬時に床上に落ち、浮遊する臭気や細菌との接触時間が、殆ど無いためその効果は、一時的なものであるといえる。
【発明が解決しようとする課題】
【０００５】  本発明は、このような脱臭剤・殺菌剤等を、密閉空間に散布し、その効果を得るためには、散布する薬液を、その空間に永く滞留し、また、その隅々まで、均質的な薬液を散布するには、如何にして薬液の超微細な霧状体を作るか、と云う事に着目した。
【０００６】  超音波振動による水の霧化は、加湿器等で、よく用いられているが、その霧の一粒々々は、微細なものでも、１０μ以上であり、その儘では、空間を構成する壁面やガラス窓に衝突した粒子は、大きな汚点となり、家具や、カ−テン等も、汚してしまう。
【０００７】  本発明では、超音波振動により霧化された薬液を、その儘、空間に放出せず、更に、霧化雰囲気を微細化し、数ミクロンの微粒子として、空間に放出し、空間に滞留時間の永い霧化薬液を噴霧、より高い脱臭・殺菌効果を目的とした。
【課題を解決するための手段】
【０００８】  本発明の薬液噴霧装置は、請求項１，２，３に記載するように、第一段階として、第一段階として、超音波振動槽  ２，で、薬剤溶液に、超音波振動を与えて、第一図に示す様に、その液面  ９，から、振動により霧化された、薬液を含む空気層を、振動槽の液面上の空間に、形成させる。
【０００９】  次いで、第二段階として、第一図  ３，のエア−コンプレッサ−より送られる圧縮空気の気流による、サクション効果により、薬液霧を含む空気層を吸い上げ噴射ノズルに送り込む。
【００１０】  第一図に示す噴射ノズルに送り込まれた薬液霧の空気層は、ノズル口径２５ｍｍφの孔より、圧縮空気と共に噴射される。この際、霧の粒径は、更に微細化され、最大でも、３μの微粒となり、圧縮空気と混合され、目的の密閉空間に、均一濃度の気流となって、散布される。
【００１１】  圧縮空気の出口は、図  ２，３，に示すように、吐出口先端より、５０ｍｍ迄を、扁平管にし、この部分に１８０度の捻りを加えて、圧縮空気の流れが旋風になるようにした。
【００１２】  旋回する圧縮空気により、吸い上げられた薬液の霧化層は、共に旋回流となり、圧縮空気と混合すると同時に、遠心運動で、比較的大きな粒子は、外壁にあたり、気流から分離され、散布される薬液霧化層は、均一濃度の気流となって、噴霧される。
【００１３】  請求項４，に記載する、超音波振動槽の薬液は、レベルセンサ−により、常に薬液の液深を一定に保ち、振動により発生する薬液の霧の発生量を管理する。
【００１４】  霧化した薬液の消費減量分は、レベルセンサ−７，により、検知され、電磁バルブの開閉により、原液タンク１，より供給される。
【実施例】
【００１５】  図１，の薬液タンク１，に脱臭剤原液を入れ、レベルセンサ−の作動により、超音波振動槽に、所定量の薬液を送り、薬液噴霧を試みた。【００１６】  第一段階の振動槽で生成した霧化層気流を、圧縮空気無しで、緩やかな送風機のみで送り出し、その出口より、３０ｃｍ離したところに画用紙をたてて、その表面に、霧化気流を捕捉した。
画用紙の表面は、細かい水滴が付着し、忽ち、裏面まで、濡れた状態となった。【００１７】つずいて、噴霧器本体の出口に同様に、３０ｃｍ離したところに画用紙をたてて、圧縮空気により吸い上げられた薬液混合気流を捕捉した。
画用紙面には、水滴は認められず、５分ご、紙面が、やや、しっとりした感じがする程度であった。【００１８】  換気口のみ有する、約２０立米の密閉した部屋に、噴霧器本体を設置し、脱臭剤を装填し、本機の運転を行なった。
連続的に散布された薬液雰囲気は、約２０立米の空間に朝靄のかかった様な状態で、散布され、約５分間で、空間を充満した。【００１９】  この時の、圧縮空気は、毎分４０リットル；出力０．０１５メガパスカルのリニアコンプレッサ−を用いた。【００２０】  ００１８，の実験では、噴霧された薬液の気流は、空間に滞留し、約３分間、朝靄状態が保たれ、暫時、換気口から、排出された。
排気された空間は、床を濡らすこともなく、目的の脱臭効果が得られた。
【発明の効果】
【００２１】  以上の説明の様に、本発明の、薬液噴霧装置は、次のような効果がえられる。
即ち、請求項１，２，３，に記載する薬液噴霧装置は、第一段階で、所定の薬液を、超音波振動槽で、霧化し、ついで、霧化した薬液雰囲気を、圧縮空気の吐出流速を用いて、吸い上げ、更に圧縮空気との混合気流として、目的の空間に散布出来る。
【００２２】  また、請求項４，記載のレベルセンサ−により、薬液の霧化量が、常に、一定であり、大きな空間に対して、平均的に、均一濃度の、薬液散布が期待出来る。
【００２３】  請求項７，に記載の、圧縮空気の吐出ノズルの先端部を扁平にし、更に１８０度の捻りを取り入れ、霧化薬液の粒子を一層微細化した事により、散布した薬液霧の、空中滞留時間を、より永くし、目的の効果を大きくする事が出来る。
【図面の簡単な説明】
【図１】  本発明の全体構成図
【図２】  装置の電気系統図
【図３】  噴射ノズル部分の構成図
【図４】  図  ３，の内部の斜視図
【図５】  本発明による薬液噴霧装置の外観図
【符号の説明】
１，  薬液原液タンク            ２，超音波振動槽
３、  リニア・コンプレッサ−    ４，薬液
５，６，  超音波振動子          ７，レベルセンサ−
８，  電磁バルブ                ９，薬液の液面を示す。
１０，  圧縮空気の送気管        １１，送気管１０，の先端ノズル
１２，  噴霧管                  １３，コンプレッサ−空気取り入れ口
１４，  扁平管ノズル            １５，薬液気流気管
１６，  想定される霧化気流の流れ状態
１７，  圧縮空気                １８，薬液霧化雰囲気の流れ
１９，  圧縮空気と霧化薬液雰囲気の混合気流
２０，  ＡＡ断面図              ２１，ＢＢ断面図
２２，  ＣＣ断面図              ２３、ＤＤ断面図
２４，  ＥＥ断面図
Ｅ１，  ＡＣ１００Ｖ電源取り入れ口    Ｅ２，メインスイッチ
Ｅ３，  パイロットランプ              Ｅ４，フュ−ズ
Ｅ５，  タイマ−                      Ｅ６，ファン
Ｅ７，  レベルスイッチ                Ｅ８，コンプレッサ−ＳＷ
Ｅ９，  リレ−                      Ｅ１０，１１，パイロットランプ
Ｅ１２，トランス                    Ｅ１３，レベルセンサ−
Ｅ１４，超音波発信機                Ｅ１５，レベルセンサ−・アンプ
【図１】
2005329384.tif 000003
【図２】
2005329384.tif 000004
【図３】
2005329384.tif 000005
【図４】
2005329384.tif 000006
【図５】
2005329384.tif 000007